(57)【要約】【課題】缶，瓶、ペットボトル及び紙パック等の容器を挿入だけで簡単に容器の側面と底面を覆い保温する持ち運びに便利な、又、不使用時は平坦なシート状の保温用ホルダーカバーの開発。【解決手段】容器の側面及び底面を覆うには、側面については、筒状で平坦にすれば両端が開いている封筒状シートで対応し、また底面は容器の胴体の断面形状を二つ折りしたシートを折り曲げ線を外側にして取り付けた形状でほとんど対応できる。シートの全開辺の幅は容器の胴体断面の周囲長さに挿入がスムースに行くためわずかな隙間を足したもの半分であれば容器を挿入することができる。このような形状を柔らかな断熱素材で作ることにより解決する。【選択図】図２
2007014682.tif 000002
【特許請求の範囲】
【請求項１】
容器を挿入するのみでその容器の側面及び底面を均一な厚さの膜で覆うことができる、断熱素材等でできた封筒状シートをしている保温用ホルダーカバー。
【発明の詳細な説明】
【技術分野】
【０００１】
本発明は、缶，瓶、ペットボトル及び紙パック等の保温用ホルダーカバーに関するものである。
【背景技術】
【０００２】
布や保温材で袋状に縫製されたものに外形寸法となる断面形状及び高さが様々な缶，瓶、ペットボトル及び紙パック等を入れて保温するカバーや容器の上から被せて使用するといった、不使用時も容積がかさみ携帯機能が乏しいものや保温素材の中に特殊な材料を入れて側面保持するもののため、容器を底面で支える機構がなく、持ち運ぶときに支持に不安が残るものであった。
【特許文献１】特開平９−２８９９４０号公報
【特許文献１】特開２００４−３０５６４５号公報
【発明の開示】
【発明が解決しようとする課題】
【０００３】
解決しようとする問題点は、使用しない場合はスペースをとらない軽量で平坦な封筒状シートで、使用時はその容器である缶，瓶、ペットボトル及び紙パック等を挿入するだけで容器の形状に膨らみ、シートが容器の側面部及び底部を覆い、また底部を覆うシート部分は、容器の重心等を支持する構造になっており、保温性能も高く、且つ容器を引き抜くだけで着脱し、元の平坦なシートに戻ることができる構造の保温用ホルダーカバーを提供することである。
【課題を解決するための手段】
【０００４】
前記目的を達成するため、使用時の対象容器の特徴について説明する。容器である、缶，瓶、ペットボトル及び紙パック等の胴体の断面形状は円や正方形状で断面の中心縦線及び中心横線で対称形をしていて、胴体下部の底面は平坦である円柱形または直方体を基準としたものがほとんどである。
つまりこれらの容器の側面及び底面を覆うには、側面については、筒状で平坦にすれば両端が開いている封筒状シートで対応でき、また底面を覆うシートは上記容器断面の特徴より同じ形状に二つ折りできる。
【０００５】
これらのことより、筒状で平坦にすれば両端が開いている封筒状シートの開いている１つの辺に、底面を覆うために胴体の断面形状を二つ折りしたシートを折り曲げ線を外側にして取り付ける。取り付けは封筒状シートの中心線と二つ折りしたシートの折り曲げ線に対して直角な中心線を同軸に２ヶ所で図２または図４のように取り付ける。
【０００６】
上記のような形状の全開辺の幅は容器の断面の周囲長さに挿入がスムースに行われるためのわずかな隙間を足した長さの半分であれば容器を挿入することができ、又挿入によって膨らむことで２ヶ所で取り付けられた容器胴体の断面形状を二つ折りしたシートが開き平坦となって底面を覆う。
【０００７】
そこで本発明は、この形状を柔らかな断熱素材等で作れば、そのシートに容器を挿入するだけで容器の側面と底面を覆うことができる。また容器を引き抜くだけで元の平坦なシートに戻すことができる。
【発明の効果】
【０００８】
本発明の保温用ホルダーカバーは、不使用時は平坦な封筒状シートをしていて、スペースをとらず、使用時に容器をシートに挿入することだけで平坦なシートが膨らみ、その膨らみによって断面形状を２つ折りしたシート端部辺が開き平面となり、容器の側面及び底面を覆うことができ、また、使用後は容器を本発明の保温用ホルダーカバーから引き抜くだけで元のフラットなシート状に戻すことができるという利点がある。
【０００９】
平坦な封筒状シートの本発明の保温用ホルダーカバーは図２または図４のように中心線で左右対称形をしているので、容器が挿入され端部が開くと２ヶ所の接合部が容器の重心位置である断面の中央部を支持する利点がある。
【００１０】
保温用ホルダーカバーを取り付けた容器の形状は側面及び底部が均一な薄いシートの厚みで覆われることになるので、また容器と保温用ホルダーカバーにはほとんど隙間がないため、取り扱いが容器のみの場合とほとんど同じという利点がある。
【００１１】
保温ホルダーカバーの側面部分は容器が入ることによって張られ、きれいな面をしているのでここに印刷をして宣伝に利用すれば、カバーの目的が保温であるため長時間手に持っていたり、テーブルなどに長時間置いておく為、宣伝効果がより大きいという利点がある。
製造においてはシート状に成型された断熱素材を圧着及び切断することによって製造が可能であるから量産しやすく製造原価を低くできる利点がある。
【発明を実施するための最良の形態】
【００１２】
以下、図面を参照して本発明の保温用ホルダーカバーの最良の代表的２形態を説明する。一つは円筒形の、もう一つは正４角柱状形の容器で説明する。
【００１３】
図１は一般的な金属缶容器を示している。また図２は図１の容器に使用する本発明の保温用ホルダーカバーを示していて側面図において中心線で左右対称形をしている。これは図２の折り曲げネック幅５同士を張れば容器底部の中心点を必ず支える構造となる。  
図３はプラスチッツク角ボトル容器を示している。また図４は図３の容器に使用する本発明の保温用ホルダーカバーを示していて側面図において中心線で左右対称形をしている。又、図１〜図４は上部に上面図を下部に側面図を示す。
【００１４】
上記図１〜図２において、図１は一般によく使用されている金属缶の側面図と上面図であり、図２はその金属缶用の保温用ホルダーカバーの側面図と上面図である。図２の両端に切込みを持ち且つ閉じている端部辺の長さ８は図１の直径１と同じ長さにし、図２の開いている辺の幅の長さ６は図１の金属缶の外周２に挿入が楽に行える微小な長さを加えた長さの半分にする。また、図２の閉じている辺の長さ７は図１のカバーされる高さ３と同じ長さで金属缶の側面を覆う必要長さである。図２の切込み幅の長さ９は図６に示されるように缶の底部が絞られるためにカバーはａ+ｂのようにならずにｃのように缶の側面に倣うため、ａ+ｂ-ｃの長さが短くなるから両端に切込みを持ち且つ閉じている端部辺の長さ８の半分である端部半円の半径より小さくなる。
【００１５】
また、上記図３〜図４において、図３は一般によく使用されているプラスチッツク角ボトルの側面図と上面図であり、図４はそのプラスチッツク角ボトルの保温用ホルダーカバーの側面図と上面図である。図４の両端に切込みを持ち且つ閉じている端部辺の長さ１８は図３のプラスチッツク角ボトル幅１１と同じ長さにし、図４の開いている辺の幅の長さ１６は図３のプラスチッツク角ボトルの外周１２に挿入が楽に行える微小な長さを加えた長さにする。また、図４の閉じている辺の長さ１７は図１のカバーされる高さ１３と同じ長さでプラスチッツク角ボトル側面を覆う必要長さである。
図４の切込み幅の長さ１９は両端に切込みを持ち且つ閉じている端部辺の長さ１８の半分の長さである。図４の折り曲げネック幅１５は図３のプラスチッツク角ボトルの辺の長さ１４と同じ長さである。
【００１６】
図２及び図４の保温用ホルダーカバーは中心線で左右対称系であることにより、容器を挿入し、折り曲げネックが曲がり、端部が容器の底部を覆い尽くしたときは容器の重心点はネック幅によって保持されることになる
このように図２及び図４に示される形状の保温用ホルダーカバーは使用しないときは軽量でフラットな封筒状シートで使用時は容器の側面及び底部を覆うことを実現した。
【実施例１】
【００１７】
図５は、図１の金属缶を図２の本発明品の保温用ホルダーカバーに挿入している状態図である。
図５の（１）は保温用ホルダーカバーに対して矢印方向に金属缶を缶の底部より挿入を開始した図である。
挿入によって保温用ホルダーカバーが平坦な状態より膨らみ始めそのふくらみにより図２の折り曲げネック１０及び両端に切込みを持ち且つ閉じている端部辺８がヒンジのように折れ曲がり又開き始める。
図５の（２）は金属缶の底部が保温用ホルダーカバーの開いている辺に入っている図である
図５の（３）は保温用ホルダーカバーに金属缶がより入った図である。
図５の（４）は金属缶が最後まで保温用ホルダーカバーに入り保温用ホルダーカバーは完全に缶と同じ直径長さの円筒形に膨らむ。これにより底部を覆う端部が開ききり平坦になる。これは  図２の切込み幅の長さ９の２倍がほぼ缶の直径と同じ長さに作られているからである。
このようにして金属缶の底部全面と側面を覆いつくすことができる。
【００１８】
図５の（１）〜（４）の一連の流れで装着が終わり、保温用ホルダーカバーの均一な薄い厚さで覆われるので取り扱いは缶のみの場合とほぼ同じに扱うことができる。取り外すときはこの流れの逆により缶を引き抜くことができる。
このようにして発明が解決しようとする課題を解決した。
【図面の簡単な説明】
【００１９】
【図１】対象容器である金属缶の上面図と側面図を示した説明図である。
【図２】図１の金属缶に使用する保温用ホルダーカバーの上面図と側面図を示した説明図である。
【図３】対象容器であるプラスチッツク角ボトル容器の上面図と側面図を示した説明図である。
【図４】図３のプラスチッツク角ボトル容器に使用する保温用ホルダーカバーの上面図と側面図を示した説明図である。
【図５】金属缶を本発明品の保温用ホルダーカバーに挿入している状態図である。
【図６】図１の底部の絞込み部４の詳細図である。
【符号の説明】
【００２０】
１    金属缶の直径      
２    金属缶の外周        
３    カバーされる高さ    
４    底部の絞込み部    
５    折り曲げネック幅    
６    開いている辺の幅の長さ
７    閉じている辺の長さ
８    両端に切込みを持ち且つ閉じている端部辺の長さ
９    切込み幅の長さ
１０    折り曲げネック
１１    プラスチッツク角ボトル幅
１２    プラスチッツク角ボトルの外周
１３    カバーされる高さ
１４    プラスチッツク角ボトルの辺の長さ
１５    折り曲げネック幅
１６    開いている辺の幅の長さ
１７    閉じている辺の長さ
１８    両端に切込みを持ち且つ閉じている端部辺の長さ
１９    切込み幅の長さ
２０    金属缶
２１    金属缶用保温用ホルダーカバー
【図１】
2007014682.tif 000003
【図２】
2007014682.tif 000004
【図３】
2007014682.tif 000005
【図４】
2007014682.tif 000006
【図５】
2007014682.tif 000007
【図６】
2007014682.tif 000008